(57)【特許請求の範囲】
【請求項１】
略四角柱、略円錐、略球体又は縦長の略楕円球体を上下に貫通する貫通穴が形成された浮き筐体と、
前記貫通穴に挿入可能であって、上端近傍に釣り糸を通す糸孔が形成された釣り糸固定棒と、
前記釣り糸固定棒の下端に着脱可能に取り付けられる固定具と、を備え、
前記糸孔に前記釣り糸を通した状態で前記釣り糸を取り外すことなく、前記釣り糸固定棒を前記貫通穴に挿入するときの前記釣り糸固定棒を挿入する側を下側とすると、前記釣り糸固定棒を前記貫通穴に挿入し、かつ前記釣り糸固定棒の下端に前記固定具を固定した状態で、前記糸孔が前記浮き筐体の上端よりも上側に位置している釣りウキ。
【請求項２】
前記釣り糸固定棒の上端には、当該釣り糸固定棒の内側に窪んだ形状の凹部が形成されている請求項１に記載の釣りウキ。
【請求項３】
前記釣り糸固定棒の下端には、ネジ山が設けられており、
前記固定具には、前記ネジ山に対応するネジ溝が設けられており、
前記ネジ山よりも上側の前記釣り糸固定棒に、弾性体で構成されたワッシャが取り付けられており、
前記ワッシャを介して前記固定具と前記釣り糸固定棒とが固定されることを特徴とする請求項１又は２に記載の釣りウキ。
【請求項４】
前記ワッシャは、前記釣り糸固定棒の直径よりも外形が大きく、かつ前記貫通穴の直径よりも外形が小さいことを特徴とする請求項３に記載の釣りウキ。
【請求項５】
前記貫通穴の下端には当該貫通穴の内側に向けて伸びるリブが設けられている請求項１〜４のいずれか一項に記載の釣りウキ。
【発明の詳細な説明】
【技術分野】
【０００１】
本発明は、釣りウキに関し、より詳細には、釣り糸を取りつけたり取り外したりする作業なく、形状又は号数（浮力）の異なる釣りウキに簡便に交換することができる釣りウキに関する。
【背景技術】
【０００２】
釣りウキは、釣り餌に魚のアタリのタイミングを知らせる道具として用いられるが、単純に魚がかかったタイミングを伝えるだけのものではなく、仕掛けをポイントまで飛ばす（運ぶ）役割もあるし、水面に釣りウキが浮いていることで、釣り人に仕掛けの場所を知らせる役割もある。
【０００３】
釣りウキは、釣りたい魚のいる場所（ポイント）によってサイズと号数（浮力）を調整して使用される。例えば、釣りウキのサイズが大きいほど、重い仕掛けを投入することができ、より遠いポイントを攻めることができるし、また釣りウキの号数が大きいほど深いポイントを攻めることができる。ウキの最適号数とタナの関係は極めて微妙な関係であり、その日その時の水質、風や潮の速さ、海面の浮き沈み、波風等の様々なパラメータによって釣りウキの最適な号数は変わってくる。
【０００４】
例えば、仕掛けがタナ（魚が遊泳している層）に届いていなければ、魚はエサを食べることができないので、釣りウキの号数を上げてハリに魚がかかるように調整する必要がある。逆に、釣りウキに反応が出ない場合は、ウキの号数を下げて（落として）感度を上げる必要がある。このように、釣りウキの最適な号数を決めることは釣りたい魚を狙って釣る上で非常に重要なファクターである。
【０００５】
上記の釣りウキの浮力を調整する技術を開示する文献として、特許文献１（特開２００３−０００１２２号公報）がある。特許文献１に開示の釣りウキは、釣りウキの外周部分をヤスリで削って丸みを帯びた窪みを作成し、当該窪みに糸を取り付けてその糸にガン玉オモリを取り付けることによって釣りウキの浮力を調整することができる。
【先行技術文献】
【特許文献】
【０００６】
【特許文献１】特開２００３−０００１２２号公報
【発明の概要】
【発明が解決しようとする課題】
【０００７】
上記特許文献１に開示の釣りウキは、ガン玉オモリの重さによって浮力を調整することができるが、微妙な浮力の調整をすることはできなかった。また釣りウキにガン玉オモリを取り付ける作業が煩わしかった。また釣りウキをポイントまで飛ばす時にガン玉オモリが釣りウキから外れてしまうこともあるため、浮力を適切に調整することが困難であった。
【０００８】
本発明は、上記の現状に鑑みてなされたものであり、その目的とするところは、釣り糸を取りつけたり取り外したりする作業なく、形状又は号数（浮力）の異なる釣りウキに簡便に交換することができる釣りウキを提供するところにある。
【課題を解決するための手段】
【０００９】
本発明者は、釣りの最中に異なる号数の釣りウキに交換するときに、釣り糸を釣りウキから取り外して、当該釣り糸を別の釣りウキに取り付ける作業が煩わしいことに着目した。特に、夜釣りでは手元が暗いため、透明な釣り糸を取り外す作業も取り付ける作業もライトをつけて行わなければならず、極めて煩雑な作業になっていた。本発明者は、このような作業の煩雑さを解決すべく鋭意検討を重ねた結果、釣り糸を取り外すことなく釣りウキの号数を変更できる構成を見出し、以下の本発明を完成させた。
【００１０】
本発明の釣りウキは、略四角柱、略円錐、略球体又は縦長の略楕円球体を上下に貫通する貫通穴が形成された浮き筐体と、前記貫通穴に挿入可能であって、上端近傍に釣り糸を通す糸孔が形成された釣り糸固定棒と、前記釣り糸固定棒の下端に着脱可能に取り付けられる固定具と、を備え、前記釣り糸固定棒を前記貫通穴に挿入し、かつ前記釣り糸固定棒の下端に前記固定具を固定した状態で、前記糸孔が前記浮き筐体の上端よりも上側に位置していることを特徴とする。
【００１１】
上記の特徴を有する釣りウキは、釣り糸固定棒の上端近傍に設けられた糸孔に釣り糸を通すことによって釣り糸固定棒を介して浮き筐体に釣り糸を取り付けることができる。これにより、従来のように浮き筐体に釣り糸を固定する場合に比べて、釣り糸を取り付ける作業を簡略化することができる。すなわち、釣り糸固定棒から固定具を取り外して釣り糸固定棒を浮き筐体から抜き出して、その釣り糸固定棒を別の浮き筐体に取り付けることができるので、釣り糸を釣り糸固定棒から取り外すことなく、釣り糸固定棒を付け替えるだけで、浮き筐体を簡便に変更することができ、浮き筐体の号数を容易に変更することができる。
【００１２】
従来のウキは、釣り糸が直接取り付けられていたので、ウキから釣り糸を取り外す時には、釣り糸を切断したり、釣り糸の結び目を解いたりする必要があったが、本発明のように釣り糸固定棒に釣り糸が取り付けられていることで、釣り糸固定棒を付け替えるだけの作業で浮き筐体を変更することができるので、釣りウキの号数を簡便に変更することが可能となる。
【００１３】
特に、浮き筐体の内部にＬＥＤライトが設置された電子ウキは、夜間に使用されるので、手元の細かい作業が困難な状態にあることが多く、釣り糸を切断したり、新たに結び直したりする作業が非常に煩わしかった。この点、本発明の釣りウキを用いることで、釣り糸を釣り糸固定棒に一旦取り付けてしまいさえすれば、釣り糸を新たに結んで取り付ける必要なく、釣り糸固定棒の抜き差しだけで電気釣りウキの号数を変更できるので、手元作業が顕著に簡便になるという利点がある。
【００１４】
上記構成において、好ましくは、釣り糸固定棒の上端には、当該釣り糸固定棒の内側に窪んだ形状の凹部が形成されている。
【００１５】
上記のように釣り糸固定棒の上端に、内側に窪んだ形状の凹部が設けられていることで、この凹部に釣り糸をひっかけることができることから、釣り糸固定棒に釣り糸を取り付ける際にも釣り糸を取り付けた後にも釣り糸固定棒に対して釣り糸が遊んでしまうことを防ぐことができ、釣り糸固定棒に釣り糸を安定して固定することが可能となる。これにより釣り糸固定棒に釣り糸を取り付けやすく、また取り外しやすくもなるという優れた効果を示す。
【００１６】
上記構成において、好ましくは、前記貫通穴の内側面及び前記挿入棒の外側面のいずれか一方若しくは両方が摺動性の高い材質で構成されている。
【００１７】
上記のように貫通穴の内側面及び釣り糸固定棒の外側面の両方が摺動性の高い材質で構成されていることにより、釣りウキの貫通穴の内側面と釣り糸固定棒との摩擦が軽減されるため、釣り糸がヨレること等のトラブルを未然に防ぐことができる。
【００１８】
上記構成において、好ましくは、前記釣り糸固定棒の下端には、ネジ山が設けられており、前記固定具には、前記ネジ山に対応するネジ溝が設けられており、前記ネジ山よりも僅かに上側の前記釣り糸固定棒に、弾性体で構成されたワッシャが取り付けられており、前記ワッシャを介して前記固定具と前記釣り糸固定棒とが固定される。
【００１９】
釣り糸固定棒の下端のネジ山に固定具をネジ止め固定することにより、弾性体で構成されたワッシャが釣り糸固定棒と固定具の間に挟まって、釣り糸固定棒に対して固定具をしっかりと固定することができる。またネジ山よりも僅かに上側の釣り糸固定棒に弾性体のワッシャが取り付けられていることにより、当該ワッシャに固定具が接触したときが固定具の締め付けの終点であることがわかる。
【００２０】
上記構成において、好ましくは、前記ワッシャは、前記釣り糸固定棒の直径よりも外形が大きく、かつ前記貫通穴の直径よりも外形が小さい。
【００２１】
このような形状のワッシャを用いることにより、釣り糸固定棒を固定具から取り外したときにワッシャが貫通穴に引っかかることなく、釣り糸固定棒を貫通穴から取り出すことができる。これにより浮き筐体を簡便に交換することが可能となる。
【００２２】
上記構成において、好ましくは、前記固定具は、前記ネジ溝が設けられた側と反対側に、前記貫通穴の穴径よりも一回り小さな突入部と、前記ネジ溝の底部から突入部を貫通する糸通し穴と、を有する。
【００２３】
上記糸通し穴及び突入部は、釣りウキの貫通穴に釣り糸を通す形態で使用されるものであり、突入部は、貫通穴に挿入できるようになっている。また、糸通し穴を通じて固定具に釣り糸を通すことができる。固定具の突入部が浮き筐体の貫通穴に向くように糸通し穴に釣り糸を通すことにより、仕掛けを投入する際や水中で仕掛けが沈下する際に、釣りウキが仕掛けに接触して釣り糸が絡まってしまうことを防止することができる。
【００２４】
また上記のように浮き筐体の貫通穴を通過した釣り糸が固定具の糸通し穴を通過することによって、万が一、仕掛けが魚に取られたとしても、浮き筐体の貫通穴に固定具の突入部が嵌め込まれて浮き筐体が釣り糸から外れることを防止することができる。これにより釣りウキをなくしてしまうことを防止することが可能となる。
【００２５】
上記構成において、好ましくは、前記貫通穴の下端には当該貫通穴の内側に向けて伸びるリブが設けられている。
【００２６】
このように貫通穴の下端に貫通穴の内側に向けて伸びるリブが設けられていることで、釣り糸固定棒を貫通穴に挿入して使用する際に、釣り糸固定棒の側面が貫通穴の内側面に擦れることで発生する摩擦を低減することができる。また釣り糸固定棒を貫通穴に挿入した状態で、浮き筐体に外力が加わった場合でも、釣り糸固定棒がリブに接触するので、釣り糸固定棒の下端近傍が貫通穴の内側面に接触する面積を減らすことができる。釣り糸固定棒を貫通穴に挿入した状態では、釣り糸固定棒の下端に過度の負担がかかりやすいが、上記リブを設けることで、貫通穴の内側面との摩擦が軽減され、釣り糸固定棒の下端の負荷を軽減することが可能となる。
【００２７】
上記リブの効果は、貫通穴に釣り糸固定棒を通す場合のみに限られず、貫通穴に釣り糸を通す場合でも同様の効果を得ることができる。すなわち、貫通穴に釣り糸を通した場合に釣り糸が、貫通穴の内側面よりも内側に向けて伸びるリブに接触することで、釣り糸が貫通穴の内側面に擦れる面積を減らすことができる。これにより釣り糸と貫通穴の内側面との摩擦が軽減され、貫通穴の内側において釣り糸が滑らかに上下に滑りやすくなる。
【発明の効果】
【００２８】
本発明の釣りウキは、釣り糸を取り付けたり取り外したりする作業をすることなく、号数（浮力）の異なる釣りウキに簡便に交換できるという利点を有する。
【図面の簡単な説明】
【００２９】
【図１】本発明の釣りウキの模式図である。
【図２】本発明の釣りウキを構成する各部を分解した模式図である。
【図３】図２の浮き筐体の下面図である。
【図４】図３のＸ線断面図及び当該断面図におけるＡの拡大図である。
【図５】図２とは別の側面から釣り糸固定棒を見た概略図である。
【図６】釣り糸固定棒にワッシャを取り付ける前後の状態を示す概略図である。
【図７】本発明の釣りウキの組み立て手順を説明する図である。
【図８】固定具の変形例の側面図、上面図、下面図及びＡ−Ａ断面図である。
【図９】図８の固定具の変形例の使用方法を説明する図である。
【発明を実施するための形態】
【００３０】
以下、本発明について図面を参照しつつ実施形態を用いて詳細に説明する。なお、以下の実施形態の説明では、図面を用いて説明しているが、本願の図面において同一の参照符号を付したものは、同一部分または相当部分を示している。
【００３１】
図１は、本発明の釣りウキを正面から見た正面図であり、図２は、本発明の釣りウキの各構成を分解した模式図である。本発明の釣りウキ１００は、図１に示すように、縦長の略楕円球体からなる浮き筐体１０と、浮き筐体１０を上下に貫通するように取り付けられた釣り糸固定棒２０と、釣り糸固定棒２０の下端に着脱可能に取り付けられる固定具３０とで構成されている。
【００３２】
浮き筐体１０は、縦長の略楕円球体を上下に貫通する貫通穴１１が形成されている。釣り糸固定棒２０は、貫通穴１１に挿入可能であって、上端近傍に釣り糸４０を通す糸孔２１が形成されている。本発明の釣りウキ１００は、釣り糸固定棒２０を貫通穴１１に挿入し、かつ釣り糸固定棒２０の下端に固定具３０を固定した状態で、糸孔２１が浮き筐体１０の上端よりも上側に位置している。以下に本発明の釣りウキ１００を構成する各部を説明する。
【００３３】
（浮き筐体）
浮き筐体１０は、図２に示す通り、縦長の略楕円球体で構成されている。ここで、「略楕円球体」とは、図１及び図２に示すように、完全な楕円球ではなくその上端及び下端が一部切断されているような形状も含むし、部分的に凹みがある形状も含むという意味である。図１及び図２では、縦長の略楕円球体形状の場合を示しているが、このような形状のみに限られず、浮きとしての浮力を確保できるものであれば、略四角柱、略多角柱、略円錐、略球体等の形状を適宜選択することができる。浮き筐体１０の形状は、釣りウキ１００をポイントまで飛ばしやすい重さが確保されており、かつ水面で浮かぶ程度の浮力を有するように重さと体積が調整されている。
【００３４】
浮き筐体１０の外形は、小サイズ（S）、中サイズ（M）、大サイズ（L）の３種類が一般的に用いられるが、このようなサイズのみに限られず、釣り人のニーズに応じて適宜外形を変更することができる。浮き筐体１０のサイズが小さいほどアタリの感度は優れるが遠くに飛ばなくなる。一方、浮き筐体１０のサイズが大きいほど重い仕掛けを投入することができ、より遠くに飛ばすことができるがアタリの感度が鈍くなってしまう。
【００３５】
浮き筐体１０の内側には、浮き筐体１０を上下に貫通する貫通穴１１が設けられている。本発明の特筆に値する点は、この貫通穴１１に釣り糸固定棒２０を挿入し、当該釣り糸固定棒２０の上端に釣り糸４０を取り付けることによって釣り糸に釣りウキ１００を取り付けることができる点にある。このように釣り糸４０を取り付けることで、釣り糸固定棒２０を取り付けたり、取り外したりするだけの作業で、異なるサイズ及び重さの浮き筐体１０に変更することができる。つまり、従来のように釣り糸を通して括りつける作業をしなくてよいため、浮き筐体１０に対する釣り糸の固定を簡略化することができる。もちろん、従来のように、貫通穴１１に釣り糸を通して釣り糸を括りつけることで、浮き筐体１０に釣り糸を固定することもできる。
【００３６】
貫通穴１１の内側面は、摺動性の高い材質で構成されていることが好ましい。このような材質で構成されていることにより、釣り糸固定棒２０を貫通穴１１に挿通しやすくなるので、釣り糸固定棒２０を容易に交換することができる。また、貫通穴１１の内側面と釣り糸固定棒２０との摩擦が軽減されるため、釣り糸がヨレること等のトラブルを未然に防ぐことができる。
【００３７】
（リブ）
図３は、図２の浮き筐体の下面図であり、図４は、図３のＸ線断面図及び当該断面図におけるＡの部分拡大図である。貫通穴１１の下端には当該貫通穴１１の内側に向けて伸びるリブ１２が設けられている。図３に示す通り、貫通穴１１の断面形状が円形の場合、リブ１２の断面形状は貫通穴１１よりも一回り小さい円形となる。このように貫通穴１１の下端に貫通穴１１の内側に向けて伸びるリブ１２が設けられていることで、釣り糸固定棒２０を貫通穴１１に挿入して使用する際に、釣り糸固定棒２０の側面が貫通穴１１の内側面に擦れることで発生する摩擦を軽減することができ、釣り糸固定棒２０を貫通穴１１に挿入しやすくなる。また釣り糸固定棒２０を貫通穴１１に挿入した状態で、浮き筐体１０に外力が加わった場合でも、釣り糸固定棒２０がリブ１２に接触するので、釣り糸固定棒２０の下端近傍が貫通穴１１の内側面に接触することを防止することができる。釣り糸固定棒２０を貫通穴１１に挿入した状態では、釣り糸固定棒２０の下端に過度の負担がかかりやすいが、上記リブ１２を設けることで、貫通穴の内側面との摩擦が軽減され、釣り糸固定棒２０の下端の負荷を軽減することが可能となる。
【００３８】
上記リブ１２の効果は、貫通穴１１に釣り糸固定棒２０を通す場合のみに限られず、貫通穴１１に釣り糸を通す場合でも同様の効果を得ることができる。すなわち、貫通穴１１に釣り糸を通した場合に釣り糸が、貫通穴１１の内側面よりも内側に向けて伸びるリブ１２に接触することで、釣り糸が貫通穴１１の内側面に擦れる面積を減らすことができる。これにより釣り糸と貫通穴１１の内側面との摩擦が軽減され、貫通穴１１の内側において釣り糸が滑らかに上下に滑りやすくなる。
【００３９】
（釣り糸固定棒）
釣り糸固定棒２０は、浮き筐体１０の貫通穴１１に挿入可能であって、上端近傍に釣り糸を通す糸孔２１が形成されている。釣り糸固定棒２０の上下方向の長さは、貫通穴１１の上下方向の長さよりも僅かに長くなっているので、貫通穴１１に釣り糸固定棒２０を通した状態で、釣り糸固定棒２０の上端及び下端が浮き筐体１０の上下に露出するようになっている。
【００４０】
釣り糸固定棒２０の下端には、ネジ山２５が設けられている。このネジ山２５に固定具３０のネジ溝を嵌め込むことによって、釣り糸固定棒２０の下端に固定具３０を取り付けることができる。釣り糸固定棒２０の下端に固定具３０を取り付けることで、釣り糸固定棒２０が浮き筐体１０から抜けないようにすることができる。
【００４１】
図５は、図２とは別の側面から釣り糸固定棒２０を見た概略図である。上記固定具３０を取り付けた状態で、釣り糸固定棒２０の上端に設けられた糸孔２１が浮き筐体１０の上端よりも上側に位置している。この糸孔２１に釣り糸４０を通すことによって釣り糸固定棒２０を介して浮き筐体１０に釣り糸４０を取り付けることができる。これにより、従来のように浮き筐体１０に釣り糸４０を固定する場合に比べて、釣り糸４０を取り付ける作業を簡略化することができる。すなわち、釣り糸固定棒２０から固定具３０を取り外して釣り糸固定棒２０を浮き筐体１０から抜き出して、当該釣り糸固定棒２０を別の浮き筐体１０に取り付けることができる。これにより釣り糸４０を取り外すことなく、釣り糸固定棒２０を付け替えるだけで、浮き筐体１０を簡便に変更することができ、浮き筐体１０の号数を容易に変更することができる。
【００４２】
従来の釣りウキは、釣り糸４０が直接取り付けられていたので、釣りウキから釣り糸４０を取り外す時には、釣り糸４０を切断したり、釣り糸４０の結び目を解いたりする必要があった。一方、本発明のように釣り糸固定棒２０に釣り糸４０が取り付けられていることで、釣り糸固定棒２０を付け替えるだけの作業で浮き筐体１０を変更することができるので、釣りウキの号数を簡便に変更することが可能となる。
【００４３】
特に、浮き筐体１０の内部にＬＥＤライト（図示せず）が設置された電子釣りウキは、夜間に使用されるので、手元の細かい作業が困難な状態にあることが多く、釣り糸４０を切断したり、新たに釣り糸４０を結び直したりする作業が非常に煩わしかった。この点、本発明の釣りウキ１００を用いることで、釣り糸４０を釣り糸固定棒２０に一旦取り付けてしまいさえすれば、釣り糸４０を新たに結んで取り付ける必要なく、釣り糸固定棒２０の抜き差しだけで釣りウキ１００の号数を変更できるので、手元作業が顕著に簡便になるという利点がある。
【００４４】
釣り糸固定棒２０の上端には、当該釣り糸固定棒２０の内側に窪んだ形状の凹部２３が形成されている。このように釣り糸固定棒２０の上端に凹部２３が設けられていることで、この凹部２３に釣り糸４０をひっかけることができることから、釣り糸固定棒２０に釣り糸４０を取り付ける際にも釣り糸４０を取り付けた後にも釣り糸固定棒２０に対して釣り糸４０が遊んでしまうことを防ぐことができ、釣り糸固定棒２０に釣り糸４０を安定して固定することが可能となる。これにより釣り糸固定棒２０に釣り糸４０を取り付けやすくも取り外しやすくもなるという優れた効果を示す。
【００４５】
釣り糸固定棒２０の外側面は、摺動性の高い材質で構成されている。このように釣り糸固定棒２０の外側面が摺動性の高い材質で構成されていることにより、釣り糸固定棒２０を貫通穴３１に通しやすくなるので、釣り糸固定棒２０を浮き筐体１０に簡便に取り付けることが可能となる。
【００４６】
（ワッシャ）
図６は、釣り糸固定棒にワッシャを取り付ける前後の状態を示す概略図である。釣り糸固定棒２０のネジ山２５よりも僅かに上側にワッシャ取付溝２２が設けられている。このワッシャ取付溝２２に弾性体で構成されたワッシャ２４が取り付けられる。このようにワッシャ取付溝２２が設けられていることで、ワッシャ２４がズレることを防止することができる。
【００４７】
図６に示すように、釣り糸固定棒２０にワッシャ２４が取り付けられていることで、釣り糸固定棒２０の下端のネジ山２５に固定具３０をネジ止め固定するときに、弾性体で構成されたワッシャ２４が釣り糸固定棒２０と固定具３０の間に挟まって、釣り糸固定棒２０に対して固定具３０をしっかりと固定することができる。またネジ山２５よりも僅かに上側の釣り糸固定棒２０に弾性体のワッシャ２４が取り付けられていることで、当該ワッシャ２４に固定具３０が接触したときが固定具３０の締め付けの終点であることがわかるという利点もある。
【００４８】
上記ワッシャ２４は、釣り糸固定棒２０の直径よりも外形が大きく、かつ貫通穴１１の直径よりも外形が小さくなっている。このような形状のワッシャ２４を用いることにより、釣り糸固定棒２０を固定具３０から取り外したときにワッシャ２４が貫通穴１１に引っかかることなく、釣り糸固定棒２０を貫通穴１１から取り出すことができる。これにより浮き筐体１０を簡便に交換することが可能となる。
【００４９】
（固定具）
固定具３０は、釣り糸固定棒２０の下端に着脱可能に取り付けられるものであり、内部にネジ溝３１が形成されている。このネジ溝３１を釣り糸固定棒２０のネジ山２５にねじ込むことにより釣り糸固定棒２０の下端に固定具３０を固定することができる。固定具３０は、貫通穴１１の外形よりも大きくなっていることから、釣り糸固定棒２０の下端に固定具３０を固定することにより、釣り糸固定棒２０が浮き筐体１０から抜けることを防止することができる。
【００５０】
（釣りウキの組立手順）
次に、本発明の釣りウキの組立手順を説明する。図７は、本発明の釣りウキ１００の組立手順を示す図である。まず、釣り糸固定棒２０の下部に設けられたワッシャ取付溝２２に弾性体のワッシャ２４を取り付ける。次に、ワッシャ２４を取り付けた釣り糸固定棒２０を浮き筐体１０の貫通穴１１に挿入する。そして、釣り糸固定棒２０の下端のネジ山２５に固定具３０のネジ溝３１をねじ込む。最後に糸孔に釣り糸を通す。このようにして図１に示す釣りウキ１００を組み立てる。
【００５１】
本発明の釣りウキ１００において、浮き筐体１０を交換するときには、釣り糸固定棒２０から固定具３０を取り外して、当該釣り糸固定棒２０を別の浮き筐体１０に取り付けるだけの作業で済むことから、従来のように釣り糸４０を取り外す作業をすることなく、形状又は号数（浮力）の異なる釣りウキに交換することができる。
【００５２】
（固定具の変形例）
図８は、上記実施形態の固定具の変形例の側面図、上面図、下面図及びＡ−Ａ断面図である。図８に示す固定具３０’は、ネジ溝３１が設けられた側と反対側に、前記貫通穴１１の穴径よりも一回り小さな突入部３３と、ネジ溝３１の底部から突入部３３を貫通する糸通し穴３２とを有していることが異なる他は上記の実施形態の固定具３０と同一のものである。上記固定具３０’に設けられた糸通し穴３２及び突入部３３は、釣りウキの貫通穴１１に釣り糸を通す形態で使用されるものであり、突入部３３は、貫通穴１１に挿入できるように、貫通穴１１の穴径よりも一回り小さくなっている。また、糸通し穴３２を通じて固定具３０’に釣り糸を通すことができる。
【００５３】
図９は、図８の固定具の変形例の使用方法を説明する図である。本発明の釣りウキは、貫通穴１１に釣り糸を通す場合に使用することができるが、このような形態で使用する場合、図９に示すように、固定具３０の突入部３３が浮き筐体１０の貫通穴１１に向くように糸通し穴３２に釣り糸を通す。このように固定具３０を取り付けることにより、仕掛けを投入する際や水中で仕掛けが沈下する際に、釣りウキが仕掛けに接触して釣り糸が絡まってしまうことを防止することができる。
【００５４】
また、図９に示すように、浮き筐体１０からサルカン３５までを繋ぐ釣り糸（リーダー糸３４）は、固定具３０’の糸通し穴３２を通過している。そして、仕掛け糸３６の先端には釣り針３７が仕掛けられている。リーダー糸３４と仕掛け糸３６との間にはサルカン３５が取り付けられている。リーダー糸３４と仕掛け糸３６との間にサルカン３５を取り付けることで、釣り糸の糸ヨレを防ぐことができ、釣り糸の絡みやライン強度の低下を抑えることができる。
【００５５】
例えば、引きが強い魚が釣り針３７にかかったときに、リーダー糸３４よりも仕掛け糸３６の強度が高い場合、サルカン３５の接続部分のリーダー糸３４側で切れて、固定具３０’及び浮き筐体１０がリーダー糸３４から抜け出て、固定具３０’及び浮き筐体１０がサルカン３５とともに水中（海中）に流れてしまう。このような固定具３０’及び浮き筐体１０の紛失を防止するという観点から、仕掛け糸３６よりもリーダー糸３４の強度を高くする。これにより、仮に引きが強い魚が釣り針３７に掛かった場合でも、図９の右側に示す通り、サルカン３５の接続部分の仕掛け糸３６側で仕掛け糸３６が切れるようにすることができるので、固定具３０’及び浮き筐体１０が水中に流されることなく、手元に残すことができる。つまり、魚に取られるのが釣り針３７及び仕掛け糸３６のみとなるため、魚を逃がした時の被害を最小限にすることができる。
【００５６】
以上、本発明者によってなされた発明を実施形態に基づき具体的に説明したが、本発明は上述の実施形態に限定されるものではなく、その要旨を逸脱しない範囲で種々変更が可能である。
【符号の説明】
【００５７】
１００  釣りウキ
１０    浮き筐体
１１    貫通穴
１２    リブ
２０    釣り糸固定棒
２１    糸孔
２２    ワッシャ取付溝
２３    凹部
２４    ワッシャ
２５    ネジ山
３０    固定具
３１    ネジ溝
３２    糸通し穴
３３    突入部
３４    リーダー糸
３５    サルカン
３６    仕掛け糸
３７    釣り針
【要約】      （修正有）【課題】釣り糸を取りつけたり取り外したりする作業を必要とせずに、形状又は号数（浮力）の異なる釣りウキに簡便に交換することができる釣りウキを提供する。【解決手段】釣りウキ１００は、略四角柱、略円錐、略球体又は縦長の略楕円球体を上下に貫通する貫通穴が形成された浮き筐体１０と、前記貫通穴に挿入可能であって、上端近傍に釣り糸を通す糸孔２１が形成された釣り糸固定棒２０と、前記釣り糸固定棒２０の下端に着脱可能に取り付けられる固定具３０と、を備え、釣り糸固定棒２０を貫通穴に挿入し、かつ釣り糸固定棒２０の下端に固定具３０を固定した状態で、糸孔２１が浮き筐体１０の上端よりも上側に位置していることを特徴とする。【選択図】図１【図１】
0006841456.tif 000002
【図２】
0006841456.tif 000003
【図３】
0006841456.tif 000004
【図４】
0006841456.tif 000005
【図５】
0006841456.tif 000006
【図６】
0006841456.tif 000007
【図７】
0006841456.tif 000008
【図８】
0006841456.tif 000009
【図９】
0006841456.tif 000010